(57)【特許請求の範囲】
【請求項１】
枠体からなる本体と、この本体の前端に断面が略翼型で内側円弧と外側円弧を少なくとも内側円弧を外側円弧より径大とし、前記内側円弧と外側円弧を傾斜面でつないだ弧状をなした挟圧部材の固定挟持部と、この固定挟持部を配設する本体の両端に溝等からなる案内部と、この案内部に沿って移動自在な可動体と、この可動体の前端に前記挟圧部材の固定挟持部と当接する弧状をなす挟圧部材の可動挟持部とを備え、この可動挟持部が固定挟持部の傾斜面に沿って、前記固定挟持部の上を前記可動挟持部がオーバーラップしながら移動し、前記可動挟持部に複数の穴部を形設することを特徴とするまつげカール器。
【請求項２】
本体固定挟持部と当接する弧状からなる可動体の挟圧部材の可動挟持部下面に複数からなる鋸刃形状を形設することを特徴とする請求項１に記載のまつげカール器。
【請求項３】
移動自在な可動体の側壁に複数からなる突設部を形設し、本体案内部に支持されていることを特徴とする請求項１に記載のまつげカール器。
【発明の詳細な説明】
【０００１】
【発明の属する技術分野】
本発明は、まつげカールを付けるために用いるまつげカール器に関する。
【０００２】
【従来の技術】
一般に、まつげカール器はまつげを美しくカールするため種々の商品がある。まつげを固定するため、まつげを支持する挟持部と支持されたまつげをカールするため当接する可動可能な挟持部とからなるものがカール器の構成が主である。たとえば、従来のまつげカール器は図１２、図１３で示すように枠体からなる本体３０先端に設けた枠体上端部に固定挟持部３４を形設し、ツマミ３１を移動することにより可動挟持部３２が軸部３５が本体３０の溝部３６を移動し、まつげを固定挟持部３４と可動挟持部３２にクッション材３３が固着されている間で押圧する構成となっている。
【０００３】
【発明が解決しようとする課題】
上記従来技術において、図１２、図１３で示すようにまつげを押圧するためには、まつげをセットする固定挟持部３４に対し、可動自在で上下移動する可動挟持部３２を設けてなる構成のまつげカール器は、まつげに自然なウェーブを付けるためまつげの根元、真中付近、先端と数回に渡ってまつげカール器で押圧する必要があり、まつげにウェーブを付けるため時間がかかっていたが、長時間に渡ってまつげのウェーブを維持することは困難であり、一日のうち何度かまつげカール器を使用してまつげにウェーブを付ける必要があるという問題があった。さらに、まつげを押圧する際まつげが重なった場合においても、そのまま押圧するようになり、まつげ一本一本へ均等した押圧が期待できないという問題もあった。
【０００４】
そこで本発明の課題は何回に渡ってまつげカール器を使用し、まつげに押圧しカールすることなく一度で行うこととし、その際まつげ一本一本が押圧される構造とし、さらにパーマ液をまつげに付着可能な構造としたまつげカール器を提供することにある。
【０００５】
【課題を解決するための手段】
請求項１記載の本発明のまつげカール器は、枠体からなる本体と、この本体の前端に断面が略翼型で内側円弧と外側円弧を少なくとも内側円弧を外側円弧より径大とし、前記内側円弧と外側円弧を傾斜面でつないだ弧状をなした挟圧部材の固定挟持部と、この固定挟持部を配設する本体の両端に溝等からなる案内部と、この案内部に沿って移動自在な可動体と、この可動体の前端に前記挟圧部材の固定挟持部と当接する弧状をなす挟圧部材の可動挟持部とを備え、この可動挟持部が固定挟持部の傾斜面に沿って、前記固定挟持部の上を前記可動挟持部がオーバーラップしながら移動し、前記可動挟持部に複数の穴部を形設することを特徴とする。
また請求項２記載の本発明のまつげカール器は、本体固定挟持部と当接する弧状からなる可動体の挟圧部材の可動挟持部下面に複数からなる鋸刃形状を形設することを特徴とする。
また請求項３記載の本発明のまつげカール器は、移動自在な可動体の側壁に複数からなる突設部を形設し、本体案内部に支持されていることを特徴とする。
【０００６】
【発明の実施の形態】
本発明の第一の実施の形態におけるまつげカール器は、本体の前端に断面が翼型で内側円弧が外側円弧より径大とする傾斜面を形設する弧状からなる固定挟持部を設け、まつげカール器内を移動自在に配設する可動体の前端に固定挟持部と合致する弧状をなす可動挟持部を形設して可動挟持部が固定挟持部に沿ってオーバーラップするものである。このように、本体挟持部の形状を翼型で弧状とすることでまつげの沿った形となり、まつげに無理なくフィットする。さらに、まつげの根元に当接する部分の円弧を径大とすることでまつげに自然なカールを提供できる。また可動体の可動挟持部が固定挟持部とオーバーラップすることでまつげのカールが一度でセットできるものである。また、可動体の可動挟持部に複数の穴部を形接することにより、まつげを圧接後、パーマ液を塗布可能でしかもまつげ圧接部範囲であることからパーマ液が目に侵入する恐れもなく安全でスピーディにまつげをパーマすることが可能となるものである。
【０００７】
また本発明の第二の実施の形態におけるまつげカール器は、本体固定挟持部の傾斜面と当接する可動体の可動挟持部下面に複数からなる鋸刃形状を形設したものである。このように可動する可動体の可動挟持部に鋸刃形状を形設することによって固定挟持部にセットされたまつげを櫛でセットするようにまつげを均等に配列することができる。
【０００８】
また本発明の第三の実施の形態におけるまつげカール器は、可動移動自在な可動体の側壁に複数からな突設体を設けることにより固定挟持部にセットされたまつげを根元が毛先までカールしながら可動挟持部により圧接できる複雑な軌道を可能にしたものである。
【０００９】
【実施例】
以下本発明の一実施例について図面に基づいて説明する。図１は同実施例におけるまつげカール器を示す分解斜視図、図２は可動体の本体固定挟持部と当接する鋸刃部を示した可動体下面を現わす斜視図、図３は可動体の全開時を示す平面図、図４は平面図の中央部を断面とした可動体全開時の断面図、図５は可動体をまつげセットするところまで移動した状態の断面図である。図１に示すようにまつげカール器は、本体１、可動体１０、クッション材２０、カバー２１、ストッパープレート２２とから構成されている。本体１は、枠体形状からなり、まつげ２５を当接する内側円弧４と外側円弧３をつなぐ傾斜面５の挟圧部材が弧状となる固定挟持部２を前端に形設し、後方には回動自在となるストッパープレート２２の軸部２３を本体１の軸受部２４に挿着し、可動体１０の切欠部１６に圧接するように構成する。本体１の左右側壁面には屈曲部７を有する案内部６を配設している。可動体１０は、可動体１０を移動するためのツマミ部１５と、パーマ液を挿入する複数からなる穴部１４とまつげを内側に寄せる突設部１３と本体１の屈曲部７を有する案内部６を移動できるように、複数からなる軸体１８を左右に配設している。さらに、図２で示すように、固定挟持部２と当接合致する形状を有する可動挟持部１１に複数からなる鋸刃部１２を弧状全周に形設し、その後方にはクッション材２０を設け、クッション材２０を固着するカバー２１を配設している。
【００１０】
次に図６から図１１を用いてまつげカール器の操作について説明する。図６は図３のＢ−Ｂ断面図、図７は可動体１０の軸体１８が本体１の屈曲部７を有する案内部６の移動詳細を示す矢視図で、図６の可動体１０の位置と同期して現わしている。図８、図１０は可動体１０の移動を示す断面図、図９、図１１は図８、図１０と同期した可動体１０の軸体１８を現わす矢視図である。まつげ２５を弧状を有する固定挟持部２に当接させ、可動体１０のツマミ部１５をツマミながら可動体１０を前方に移動させる、可動挟持部１１の前端面より固定挟持部２に沿ってまつげ２５を圧接する。この際可動挟持部１１に形設する鋸刃部１２によりまつげ２５が均一にされ、しかも可動体１０の前端左右に有する突設部１３によりまつげ２５が内側に寄せられるため、まつげ２５が固定挟持部２に当接される。この時可動体１０の軸体１８の前方は案内部６の屈曲部７に到達した位置となり、可動体１０は傾斜した構成となっているが可動体１０の軸体１８が前後に配設していることから可動体１０の安定性も確保される。可動体１０を本体１の前方に移動完了することで、まつげ２５がすべて圧接される。この時まつげ２５の根元はクッション材２０の面と固定挟持部２の内側円弧４の面で確実に圧接され、さらにまつげ２５の根元の圧接される内側円弧４が、外側円弧３より径大であることから、まつげ２５に急なカールとならない特徴をもつ可動体１０が自然移動しないため、ストッパープレート２２をツマミ部１５の切欠部１６に圧接する構成とする。まつげ２５のカールをより強固とするため、図１０の状態で複数からなる穴部１４よりパーマ液を挿入する。この時クッション材２０と固定挟持部２の内側円弧４との圧着によりパーマ液が目に流れ込む危険もなく安全なまつげカール器を提供するものである。
【００１１】
【発明の効果】
以上のように本発明は、まつげをカールする挟圧部材をまつげ全体に当接することで一度でカールすることができ、しかも挟圧部材の一方を鋸刃形状とすることでまつげを均等に配列し、パーマ液を付けて完全なまつげのカールを提供するものである。また移動する接圧部材に複数の軸を設けることで、複雑な移動にも安定した動作させることができるまつげカール器である。
【図面の簡単な説明】
【図１】本発明の一実施例のおけるまつげカール器の分解斜視図
【図２】同まつげカール器の可動体下面側の斜視図
【図３】同まつげカール器の全開時の平面図
【図４】同まつげカール器の全開時の断面図
【図５】同まつげカール器のまつげセット時の断面図
【図６】図３のＢ−Ｂ断面図
【図７】図６と同期時の可動体軸体の位置を示す矢視図
【図８】同まつげカール器の可動体可動挟持部先端がまつげを当接し始める状態を示す断面図
【図９】図８と同期時の可動体軸体の位置を示す断面図
【図１０】同まつげカール器の可動体がまつげをすべて当接した状態を示す断面図
【図１１】図１０と同時期の可動体軸体の位置を示す断面図
【図１２】従来のまつげカール器の平面図
【図１３】従来のまつげカール器の側面図
【符号の説明】
１、３０ 本体
２ 固定挟持部
３ 外側円弧
４ 内側円弧
５ 傾斜面
６ 案内部
７ 屈曲部
１０ 可動体
１１、３２ 可動狭持部
１２ 鋸刃部
１３ 突設部
１４ 穴部
１５ ツマミ部
１６ 切欠部
１８ 軸体
２０、３３ クッション材
２１ カバー
２２ ストッパープレート
２３、３５ 軸部
２４ 軸受部
２５ まつげ
３１ ツマミ
３４ 固定狭持部
３６ 溝部
【図１】
0003850633.tif 000002
【図２】
0003850633.tif 000003
【図３】
0003850633.tif 000004
【図４】
0003850633.tif 000005
【図５】
0003850633.tif 000006
【図６】
0003850633.tif 000007
【図７】
0003850633.tif 000008
【図８】
0003850633.tif 000009
【図９】
0003850633.tif 000010
【図１０】
0003850633.tif 000011
【図１１】
0003850633.tif 000012
【図１２】
0003850633.tif 000013
【図１３】
0003850633.tif 000014